【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
プロセスプラントの環境設定及び監督を行うコンピュータシステムにおいてプロセス制御を管理する方法であって、
複数のオブジェクトの各々が前記プロセスプラント内の物理的又は論理的エンティティに対応し、各項目が前記複数のオブジェクトのそれぞれ１つに対応する選択可能な項目の組を表示するためにナビゲーションペインを生成すること、及び、各制御操作部が前記プロセスプラント内の前記複数のオブジェクトのうちの少なくとも１つで実行されるべきタスクに対応する選択可能な制御操作部の組を表示するためにコマンドペインを生成することを含み、前記プロセスプラント内の前記複数のオブジェクトを管理するため対話型ユーザインターフェイスを提供することと、
前記ナビゲーションペインを介した前記選択可能な項目の組の中の項目、及び、前記コマンドペインを介した前記選択可能な制御操作部の組の中の制御操作部のうちの１つの選択を受信することと、
前記受信された選択に基づいて、前記選択が項目選択である場合に前記選択に適用可能なアクションの範囲、又は、前記選択が制御操作部選択である場合に前記選択が適用可能である項目の範囲のうちの１つに対応する動作コンテキストを決定することと、
前記選択が制御操作部選択である場合に各項目が前記選択に適用可能である範囲内に収まる選択可能な項目の一部分を前記ナビゲーションペインに表示すること、及び、前記選択が項目選択である場合に各制御操作部が前記選択に適用可能である範囲内に収まる選択可能な制御操作部の一部分を前記コマンドペインに表示することを含み、前記動作コンテキストに応じて前記ナビゲーションペイン又は前記コマンドペインのうちの１つを調節することと、
を含む方法。
【請求項２】
前記複数のオブジェクトのうちの１つは、前記プロセスプラントにおいてプロセス制御論理の少なくとも一部分を実施するコントローラ、前記プロセスプラントにおいて物理的機能を実行する物理的機器、前記プロセスプラントにおける物理的機器間の入力信号及び出力信号を処理する入力／出力（Ｉ／Ｏ）カード、又は、前記プロセスプラントを管理するためにソフトウェアを実施するワークステーションのうちの１つに対応する、請求項１に記載の方法。
【請求項３】
前記複数のオブジェクトのうちの１つは、前記プロセスプラントにおいて動作する１台以上の機器によって実施される制御戦略、前記プロセスプラントにおいて動作する機器から報告可能な事象、又は、前記プロセスプラントにおいて１台以上の機器が作動する領域のうちの１つに対応する、請求項２に記載の方法。
【請求項４】
前記コマンドペインを生成することは、各領域が機能性又は使用の共通カテゴリの少なくとも１つに応じてグループ分けされた制御操作部の組を有する前記コマンドペインの複数の領域を表示することを含む、請求項３に記載の方法。
【請求項５】
前記ナビゲーションペイン又は前記コマンドペインのうちの１つを調節することは、
前記選択が制御操作部選択である場合に、前記選択可能な項目の組に含まれない少なくとも１つの付加的な選択可能な項目を前記ナビゲーションペインに表示することと、
前記選択が項目選択である場合に、前記選択可能な制御操作部の組に含まれない少なくとも１つの付加的な選択可能な制御操作部を前記コマンドペインに表示することと、
をさらに含む、請求項４に記載の方法。
【請求項６】
前記動作コンテキストを決定することは、前記選択と制御操作部又は項目のうちの１つとの間の相関を記述する統計データを使用することを含む、請求項４に記載の方法。
【請求項７】
前記ナビゲーションペインを介して選択された１つ以上の項目をコンテンツペインに表示することをさらに含む、請求項６に記載の方法。
【請求項８】
前記ナビゲーションペイン及び前記コマンドペインは共通画面と関連付けられ、
前記選択に関連した情報を表示するために新しいペインを生成すること、及び、前記新しいペインを前記共通画面の範囲内に収容するために少なくとも前記コンテンツペインのサイズを調節することを含む、前記共通画面をモーフィングすることをさらに備える、請求項７に記載の方法。
【請求項９】
プロセスプラントの環境設定及び監督を行うコンピュータシステムで用いられるユーザインターフェイスの環境設定を行う方法であって、
各項目が複数のオブジェクトのそれぞれ１つに対応する選択可能な項目の組を表示するためにナビゲーションペインを生成すること、及び、各制御操作部が前記プロセスプラント内の前記複数のオブジェクトのうちの少なくとも１つで実行されるべきタスクに対応する選択可能な制御操作部の組を表示するためにコマンドペインを生成することを含み、各ペインがそれぞれの位置にあり、かつ、それぞれのサイズを有している複数のペインを画面領域の内側に生成することと、
前記複数のペインのうちの少なくとも１つのペインに関連し、そして、前記複数のペインのうちの前記少なくとも１つのペインの位置と、前記複数のペインのうちの前記少なくとも１つのペインのサイズとのうちの少なくとも１つを指定するカスタマイゼーション要求をユーザから受信することと、
前記カスタマイゼーション要求に応じて前記複数のペインのカスタム・レイアウトを生成することと、
前記カスタム・レイアウトを記述するカスタム・レイアウト・データを前記ユーザに対応するデータベース・レコードに格納することと、
を含む方法。
【請求項１０】
前記複数のペインを生成することは、前記ナビゲーションペインを介して選択された前記複数のオブジェクトのうちの１つの環境設定又は編集のうちの少なくとも１つを実行するために２つ以上の主コンテンツペインを生成することをさらに含み、
前記カスタム・レイアウトを生成することは、前記カスタマイゼーション要求に応じて前記２つ又は主コンテンツペインの各々を互いに相対的に位置決めすることを含む、
請求項９に記載の方法。
【請求項１１】
前記カスタマイゼーション要求は、前記ナビゲーションペインで適用されるべきフィルタをさらに指定し、前記フィルタは、前記選択可能な項目の組のうちの第１の部分が表示され、かつ、前記選択可能な項目の組のうちの第２の部分が表示されない際に従うルールを指定する、請求項１０に記載の方法。
【請求項１２】
前記ユーザの新しいログイン・セッションを識別したときに前記カスタム・レイアウト・データに応じて前記カスタム・レイアウトを自動的に復元することをさらに備える、請求項１１に記載の方法。
【請求項１３】
いくつかの役割と関連付けられている前記ユーザから役割選択を受信することをさらに含み、
前記カスタム・レイアウト・データを格納することは、前記カスタム・レイアウトを前記役割選択と関連付けることを含み、
前記カスタム・レイアウトを自動的に復元することは、前記ユーザの役割を識別すること、及び、前記役割を前記役割選択と比較することをさらに含む、
請求項１２に記載の方法。
【請求項１４】
前記カスタマイゼーション要求は、
前記主コンテンツ領域の中の複数のテキスト列の各々の配置と、
前記複数のテキスト列の各々のテキスト列のそれぞれのサイズと、
前記複数のテキスト列の各々のテキスト列のフォントサイズと、
のうちの少なくとも１つをさらに指定する、
請求項９に記載の方法。
【請求項１５】
コンピュータ読み取り可能な媒体に命令の組として記憶され、プロセッサ上で実行可能であり、プロセスプラントの中で実施されるプロセス制御システムの環境設定を行うプロセス制御を管理するシステムであって、
前記複数のオブジェクトの各々が前記プロセスプラント内の物理的又は論理的エンティティに対応する複数のオブジェクトを表示し、前記複数のオブジェクトを管理するためにコマンドを受信するユーザインターフェイス・コントローラを備え、
前記ユーザインターフェイス・コントローラは、
各項目が前記複数のオブジェクトのそれぞれ１つに対応する選択可能な項目の組を表示し、前記選択可能な項目の組の中の項目の第１の選択を受信するナビゲーションペイン・コントローラと、
各制御操作部が前記プロセスプラント内の前記複数のオブジェクトのうちの少なくとも１つで実行されるべきタスクに対応する選択可能な制御操作部の組を表示し、前記選択可能な制御操作部の組の中の制御操作部の第２の選択を受信するコマンドペイン・コントローラと、
前記第１の選択及び前記第２の選択のうちの一方又は両方に基づいて、前記選択が項目選択である場合に前記選択に適用可能であるアクションの範囲、又は、前記選択が制御操作部選択である場合に前記選択が適用可能である項目の範囲のうちの１つに対応する動作コンテキストを決定するコンテキスト・コントローラと、
前記第２の選択に応答して前記動作コンテキストに従って前記ナビゲーションペインを調節すること、又は、前記第１の選択に応答して前記動作コンテキストに従って前記コマンドペインを調節することのうちの少なくとも１つを実行するように環境設定された動作コンテキスト・コントローラと、
を含む、システム。
【請求項１６】
前記ナビゲーションペインに表示されるべき前記複数のオブジェクトのうちの一部を選択するフィルタを前記ナビゲーションペインに適用するフィルタリングモジュールをさらに備える、請求項１５に記載のシステム。